(57)【要約】【課題】複数の太陽エネルギー利用装置を設置する設置構造において、様々な形状や寸法の屋根により柔軟に対応することができ、太陽エネルギー利用装置を用いてより美観性の高い屋根面などを構成するための新規な技術を提案する。【解決手段】複数配列した太陽光発電モジュール３の周囲に配設される周囲枠１０（縦周囲枠２０、横周囲枠３０）と、周囲枠１０と太陽光発電モジュール３の間の隙間２３を塞ぐための第一の隙間調整材２４と、を有し、第一の隙間調整材２４の固定位置が調整できるように構成される、太陽エネルギー利用装置の設置構造とする。【選択図】図３
2015068080.tif 000002
【特許請求の範囲】
【請求項１】
複数配列した太陽エネルギー利用装置の周囲に配設される周囲枠と、
前記周囲枠と前記太陽エネルギー利用装置の間の隙間を塞ぐための隙間調整材と、を有し、
前記隙間調整材の固定位置が調整できるように構成される、太陽エネルギー利用装置の設置構造。
【請求項２】
前記隙間調整材は、前記隙間を上方から覆うための延設部位を有する、
ことを特徴とする請求項１に記載の太陽エネルギー利用装置の設置構造。
【請求項３】
前記隙間調整材を複数使用することで前記隙間が塞がれる、
ことを特徴とする請求項１又は請求項２に記載の太陽エネルギー利用装置の設置構造。
【請求項４】
前記隙間調整材は、長尺部材であって、複数の太陽エネルギー利用装置を跨ぐ長さを有する、
ことを特徴とする請求項１乃至請求項３のいずれか一項に記載の太陽エネルギー利用装置の設置構造。
【発明の詳細な説明】
【技術分野】
【０００１】
本発明は、建物の傾斜屋根などに設置される太陽光発電モジュールなどの太陽エネルギー利用装置の設置構造に関するものである。
【背景技術】
【０００２】
従来、太陽エネルギー利用装置として太陽光発電を行うための太陽光発電モジュールや、温水を作るための太陽熱集熱モジュールが屋根上に設置されている。これらの太陽エネルギー利用装置の建物屋根や壁などへの設置は近年より注目を集めており、関連する技術も公開されている。
【０００３】
例えば、特許文献１では、屋根面に太陽電池セルが設置されていない空白部が存在する場合において、この空白部にダミーセルを配置することで美観を向上させる技術について開示している。
【先行技術文献】
【特許文献】
【０００４】
【特許文献１】特開２００３−２４３６８８号公報
【発明の概要】
【発明が解決しようとする課題】
【０００５】
太陽エネルギー利用装置は、単一のモジュールとして構成されており、複数のモジュールを配列することで太陽エネルギー利用装置のみで屋根面の外観を構成する技術が検討されている。
【０００６】
しかしながら単一のモジュールの寸法は規格化されるなどして寸法が決まっている一方、屋根は建物によって様々な寸法、形状を有するため、複数のモジュールを配列した場合に、屋根寸法や屋根形状と一致しない情況が発生する。
【０００７】
この場合、モジュールで構成する屋根面の外側に、下地となる面（野地板、或いは、屋根材（例えば、スレート材や瓦））が現れてしまうことになり、場合によっては美観上の問題が生じることになる。
【０００８】
そこで、特許文献１のようにダミーパネルを用いることが検討されるが、ダミーパネルを個別の施工現場の情況に応じて逐一製造、加工することは、製作コストが嵩むことや、施工現場での施工性が悪いといった課題が生じることになる。
【０００９】
本発明は以上の問題に鑑み、複数の太陽エネルギー利用装置を設置する設置構造において、様々な形状や寸法の屋根により柔軟に対応することができ、太陽エネルギー利用装置を用いてより美観性の高い屋根面などを構成するための新規な技術を提案するものである。
【課題を解決するための手段】
【００１０】
本発明の解決しようとする課題は以上の如くであり、次にこの課題を解決するための手段を説明する。
【００１１】
即ち、請求項１に記載のごとく、複数配列した太陽エネルギー利用装置の周囲に配設される周囲枠と、前記周囲枠と前記太陽エネルギー利用装置の間の隙間を塞ぐための隙間調整材と、を有し、前記隙間調整材の固定位置が調整できるように構成される、太陽エネルギー利用装置の設置構造とする。
【００１２】
また、請求項２に記載のごとく、前記隙間調整材は、前記隙間を上方から覆うための延設部位を有する、ことを特徴とする請求項１に記載の太陽エネルギー利用装置の設置構造とする。
【００１３】
また、請求項３に記載のごとく、前記隙間調整材を複数使用することで前記隙間が塞がれる、ことを特徴とする請求項１又は請求項２に記載の太陽エネルギー利用装置の設置構造とする。
【００１４】
また、請求項４に記載のごとく、前記隙間調整材は、長尺部材であって、複数の太陽エネルギー利用装置を跨ぐ長さを有する、ことを特徴とする請求項１乃至請求項３のいずれか一項に記載の太陽エネルギー利用装置の設置構造とする。
【発明の効果】
【００１５】
本発明の効果として、以下に示すような効果を奏する。
【００１６】
即ち、請求項１に記載の発明においては、隙間の幅に応じて隙間調整材の固定位置を適宜調整することで、隙間を塞ぐことが可能となり、太陽エネルギー利用装置を用いた美観性の高い屋根面を構成することができる。つまり、例えば、図１に示すように、太陽エネルギー利用装置（太陽光発電モジュール３）と周囲枠１０と第一の隙間調整材２４によって、屋根の略全面積を覆う構成を実現できる。また、施工現場において施工誤差が生じた場合においても、適宜隙間２３を塞ぐことが可能となり、施工性に優れた構成が実現される。
【００１７】
また、請求項２に記載の発明においては、延設部位と隙間の重なり代を調整することで、容易に隙間を塞ぐことができる。
【００１８】
また、請求項３に記載の発明においては、複数の隙間調整材の使用を適宜選定することにより、様々な隙間の幅に容易に対応することができる。
【００１９】
また、請求項４に記載の発明においては、長尺部材にて構成することにより、施工現場における切断加工などで寸法調整を実施することで、屋根の施工誤差に容易に対応することが可能となる。また、部品点数の削減が図られ、優れた施工性を確保することができる。また、例えば、アルミ押出し材で構成することによれば、製造コストも安く抑えることが可能となる。
【図面の簡単な説明】
【００２０】
【図１】本発明の一実施形態の全体概要を示す図。
【図２】本発明の他の実施形態の全体概要を示す図。
【図３】周囲枠側に設ける隙間調整材の実施形態について示す断面図。
【図４】第二の隙間調整材を用いる実施形態について示す断面図。
【図５】棟側の周囲枠を構成する横周囲枠の一実施形態について示す断面図。
【図６】（Ａ）は第二の隙間調整材を用いる実施形態について示す図。（Ｂ）は第二の隙間調整材の他の実施形態について示す図。（Ｃ）は第二の隙間調整材のその他の実施形態について示す図。
【発明を実施するための形態】
【００２１】
図１は、本発明の一実施形態の全体概要を示すものである。
図１に示すごとく、本発明は、屋根１の上に太陽エネルギー利用装置が設置されるものなどについて適用されるものであり、実施形態として、複数の太陽光発電モジュール３が配置されている。太陽エネルギー利用装置としては、太陽光発電モジュール３のほか、温水を作製するための太陽熱集熱モジュールなども考えられ、これらを併用して設置することも可能である。
【００２２】
図１の例では、複数の太陽光発電モジュール３が縦横方向に配列されることで、太陽光発電モジュール３の表面により一連の連続する屋根面が構成される。
【００２３】
そして、配列された太陽光発電モジュール３のうち、最外周に配置される太陽光発電モジュール３を取り囲むように、周囲枠１０（縦周囲枠２０、横周囲枠３０）が配設され、周囲枠１０（本実施形態では縦周囲枠２０）と太陽光発電モジュール３の間の隙間が隙間調整材４０によって塞がれる。なお、本実施形態では、屋根面の軒側の部位については、水きり材６０にて周囲枠１０の一部が構成されるようになっているが、水きり材６０に代えて横周囲枠３０が配置される構成としてもよい。
【００２４】
以上のようにして、太陽光発電モジュール３と、隙間調整材４０と、周囲枠１０の各表面によって、外観上連続した一つの屋根面が形成されることで、美観に優れた屋根の意匠が構成される。また、これにより、太陽光発電モジュール３にて屋根の全面を敷き詰めたような意匠を構成することができる。
【００２５】
また、図１の構成では、太陽光発電モジュール３などによって屋根の略全面積が覆われる構成としているため、屋根全体として統一感のある意匠を構成することができる。
【００２６】
このほか、図２に示すように、屋根の形状や寸法の関係や、設置する太陽光発電モジュール３の枚数の関係により、複数の太陽光発電モジュール３によって屋根の一部を構成する場合においても、図１に示される構成を適用することができる。
【００２７】
この場合では、屋根材４の一部が外観に現れることになるが、太陽光発電モジュール３が周囲枠１０や隙間調整材４０によって取り囲まれており、まとまり感のある一連の屋根面を構成することができるため、美観に優れた構成が実現される。
【００２８】
また、図１及び図２の構成において、周囲枠１０を構成する縦周囲枠２０、横周囲枠３０の両方を用いることとするほか、いずれか一方を用いることも可能であり、屋根の形状や寸法の関係に応じて、使用、不使用を適宜選定することが可能となる。
【００２９】
さらに、以上の実施形態のように、複数の太陽光発電モジュール３を並設して屋根面を構成する場合のみならず、複数の太陽光発電モジュール３を並設して壁面を構成する場合においても、本発明を適用することは可能である。
【００３０】
図３は、周囲枠１０のケラバ側（妻側）の部位を構成する縦周囲枠２０の一実施形態について示す図であり、図１のＡ−Ａ線の部位に対応する。
【００３１】
縦周囲枠２０は、中空部２２ａを有する長尺の化粧枠２２を有しており、中空部２２ａには、複数の化粧枠２２を長手方向に連結し、芯材として機能するためのスリーブ材２１が内装される。
【００３２】
化粧枠２２は、見付面部２２ｂと、内側縦面部２２ｃと、上面部２２ｄと、下面部２２ｅとを有し、各部で囲まれる空間が中空部２２ａとして構成されている。
【００３３】
見付面部２２ｂの下端部は、野地板５０よりも下方の位置まで延設されており、これにより、見付面部２２ｂによって、ケラバ側（妻側）の外周縦面の意匠を構成できるようになっている。
【００３４】
見付面部２２ｂの上端部付近において、上面部２２ｄが水平方向において太陽光発電モジュール３側に延設される。また、見付面部２２ｂの上下中途部において、下面部２２ｅが水平方向において太陽光発電モジュール３側に延設される。そして、上面部２２ｄの延設端部と、下面部２２ｅの延設中途部を結ぶように、内側縦面部２２ｃが配置される。
【００３５】
下面部２２ｅにおいて、内側縦面部２２ｃよりも内側の部位は、固定部２２ｆとして構成される。固定部２２ｆは、野地板５０に載置されるとともに、垂木材５２に対し固定具５４にて固定される。
【００３６】
固定部２２ｆには、支持部２２ｇが上方に立ち上げられている。この支持部２２ｇは、必要に応じ図示せぬ横桟材を下側から支持するために利用される。
【００３７】
化粧枠２２の上面部２２ｄには、第一の隙間調整材２４が設けられる。この第一の隙間調整材２４は、上面部２２ｄから水平方向に突出する延設部位２４ａを形成するものであり、この延設部位２４ａが上面部２２ｄと太陽光発電モジュール３の間の隙間２３を跨ぐように配設される。
【００３８】
本実施形態では、延設部位２４ａが、太陽光発電モジュール３の端部の上面３ａを覆うように配置され、これにより、化粧枠２２と太陽光発電モジュール３が隙間無く連続する外観が構成される。
【００３９】
第一の隙間調整材２４は、隙間２３の幅の大小に応じて延設部位２４ａの幅Ｗ１を調整できるように、化粧枠２２に対する固定位置が調整可能とされている。
【００４０】
本実施形態では、板状部材に構成される第一の隙間調整材２４の一側端部に設けられる固定部２４ｂが、固定具５５にて上面部２２ｄに固定される構成としており、上面部２２ｄに対する固定部２４ｂの固定位置が適宜設定可能な構成とすることで、施工現場において、第一の隙間調整材２４の化粧枠２２に対する固定位置が調整できるように構成される。
【００４１】
以上のような構成により、各施工現場における隙間２３の幅Ｗ２に応じ、延設部位２４ａの幅Ｗ１を調整することで、隙間２３を塞ぐことが可能となる。
【００４２】
図４は、周囲枠１０のケラバ側の部位において第二の隙間調整材２６を用いる実施形態について示す図である。
この実施形態は、縦周囲枠２０と太陽光発電モジュール３の間の隙間２３の幅（幅方向Ｘ）が大きい場合において、この隙間２３に第二の隙間調整材２６（２６Ａ，２６Ｂ）を挿入することによって、この隙間２３を塞ぐ実施形態である。
【００４３】
図４の例では、図３の構成に加え、太陽光発電モジュール３側から順に、調整材スターター２６Ａ、端部調整材２６Ｂといった二種類の第二の隙間調整材２６が利用される。端部調整材２６Ｂと化粧枠２２の間の隙間２３ｓは、化粧枠２２の上面部２２ｄから突出される第一の隙間調整材２４の延設部位２４ａによって塞がれる。
【００４４】
調整材スターター２６Ａと端部調整材２６Ｂは、化粧枠２２の支持部２２ｇに支持される横桟材２５に載置固定される。調整材スターター２６Ａは、上面部２６ｃと、上面部２６ｃの幅方向の両端部付近において下方に延設される縦面部２６ｅ，２６ｇと、縦面部２６ｇから横方向Ｘに延設され横桟材２５に留め付けられる被固定部２６ｕとを有し、下側が開放される断面視略コ字状の長尺部材にて構成される。同様に、端部調整材２６Ｂは、上面部２６ｄと、上面部２６ｄの幅方向の両端部付近において下方に延設される縦面部２６ｈ，２６ｋと、縦面部２６ｋから横方向Ｘに延設され横桟材２５に留め付けられる被固定部２６ｖとを有し、下側が開放される断面視略コ字状の長尺部材にて構成される。
【００４５】
また、調整材スターター２６Ａにおいて、太陽光発電モジュール３と反対側の端部には、溝状の係止部２６ａが形成され、この係止部２６ａに端部調整材２６Ｂの突条形状の係止部２６ｂが挿入されて両者を係合させる構成としている。これにより、両者が一体的に横桟材２５に対し強固に固定され、風による跳ね上がりなどが防止される。
【００４６】
なお、調整材スターター２６Ａと端部調整材２６Ｂを横桟材２５に載置固定するほか、野地板５０に対して直接固定することとしてもよい。
【００４７】
また、調整材スターター２６Ａの上面部２６ｃは係止部２６ｂに覆い被さる構成としており、調整材スターター２６Ａの上面部２６ｃと端部調整材２６Ｂの上面部２６ｄによって、連続した一連の表面が形成され、美観に優れた構成が実現される。
【００４８】
調整材スターター２６Ａと端部調整材２６Ｂは、横桟材２５の幅方向に対して任意の位置に固定することができる。つまり、施工現場において、第二の隙間調整材２６（２６Ａ，２６Ｂ）の固定位置が調整できるように構成される。
【００４９】
また、調整材スターター２６Ａの溝状の係止部２６ａについて有意な奥行きを設定するとともに、端部調整材２６Ｂの突条形状の係止部２６ｂに有意な突出幅を設定することにより、調整材スターター２６Ａと端部調整材２６Ｂを係合させつつ、調整材スターター２６Ａと端部調整材２６Ｂの距離を調整することが可能となる。図４の拡大部分においては、係止部２６ａ，２６ｂの位置関係が調整されることを示している。
【００５０】
そして、これにより、第二の隙間調整材２６（２６Ａ，２６Ｂ）の全体幅Ｗ３を調整することが可能となる。
【００５１】
また、端部調整材２６Ｂの上面部２６ｄには、第一の隙間調整材２４の延設部位２４ａが覆いかぶさり、これにより端部調整材２６Ｂと化粧枠２２（縦周囲枠２０）の間の隙間２３ｓが塞がれる。
【００５２】
さらに、本実施形態では調整材スターター２６Ａと端部調整材２６Ｂをそれぞれ一つづつ用いる構成としたが、より数多くの端部調整材２６Ｂを用いることでより広い全体幅Ｗ３を構成し、より広い隙間２３を塞ぐこととしてもよい。このことを可能とするため、端部調整材２６Ｂにおいて突条形状の係止部２６ｂが形成される側の端部と反対側の端部には、調整材スターター２６Ａの溝状の係止部２６ａと同様の係止部２６ｍが形成されている。或いは、調整材スターター２６Ａのみを用いることや、調整材スターター２６Ａと端部調整材２６Ｂについて幅寸法の異なるものを作製し、施工現場の情況により柔軟に対応可能とすることとしてもよい。
【００５３】
以上のような構成により、第一の隙間調整材２４と、調整材スターター２６Ａと、端部調整材２６Ｂの各表面により、化粧枠２２と太陽光発電モジュール３が隙間無く連続する外観を構成することができる。
【００５４】
なお、図４に示す実施形態において、第一の隙間調整材２４の固定位置を調整できないものとするとともに、第二の隙間調整材２６（２６Ａ，２６Ｂ）についてのみ固定位置が調整できる形態とすることも考えられる。
【００５５】
図５は、周囲枠１０の棟側の部位を構成する横周囲枠３０の一実施形態について示す図であり、図１のＢ−Ｂ線の部位に対応する。横周囲枠３０は、中空部３２ａを有する長尺の化粧枠３２を有して構成されている。なお、この横周囲枠３０の構成などについて、図３に示す縦周囲枠２０などと同様の構成を採用し、ケラバ側と軒側の構成を同一のものとしてもよい。
【００５６】
化粧枠３２は、見付面部３２ｂと、内側縦面部３２ｃと、上面部３２ｄと、下面部３２ｅとを有し、各部で囲まれる空間が中空部３２ａとして構成されている。
【００５７】
見付面部３２ｂの下端部は、野地板５０よりも下方の位置まで延設されており、これにより、見付面部３２ｂによって、棟側の外周縦面の意匠を構成できるようになっている。
【００５８】
見付面部３２ｂの上端部付近において、上面部３２ｄが水平方向において太陽光発電モジュール３側に延設される。見付面部３２ｂの上下中途部において、下面部３２ｅが水平方向において太陽光発電モジュール３側に延設される。そして、上面部３２ｄの延設端部と、下面部３２ｅの延設端部を結ぶように、内側縦面部３２ｃが配置される。
【００５９】
見付面部３２ｂはブラケット３１を介して縦桟材３５に支持される。縦桟材３５は図示せぬ固定具により野地板５０側に固定される。
【００６０】
化粧枠３２の上面部３２ｄからは、隙間調整材として機能する延設部位３４ａが水平方向に延設される。この延設部位３４ａの突出幅を調整代としつつ、この延設部位３４ａにより第二の隙間調整材３６（３６Ｂ）との間の隙間３３が塞がれるようになっている。なお、上面部３２ｄに板状の隙間調整材を別途設け、その固定位置を調整可能とする構成としてもよい。
【００６１】
また、図５の実施形態では、太陽光発電モジュール３側から順に、調整材スターター３６Ａ、端部調整材３６Ｂといった二種類の第二の隙間調整材３６が利用される。
【００６２】
調整材スターター３６Ａと端部調整材３６Ｂは、縦桟材３５に載置固定される。調整材スターター３６Ａは、上面部３６ｃと、上面部３６ｃの屋根奥行き方向Ｙの両端部付近において下方に延設される縦面部３６ｅ，３６ｇと、縦面部３６ｇから屋根奥行き方向Ｙに延設され縦桟材３５に留め付けられる被固定部３６ｕとを有し、下側が開放される断面視略コ字状の長尺部材にて構成される。同様に、端部調整材３６Ｂは、上面部３６ｄと、上面部３６ｄの屋根奥行き方向Ｙの両端部付近において下方に延設される縦面部３６ｈ，３６ｋと、上面部３６ｄの屋根奥行き方向Ｙの中間部において下方に延設される縦面部３６ｍと、縦面部３６ｍから屋根奥行き方向Ｙに延設され縦桟材３５に留め付けられる被固定部３６ｖとを有し、下側が開放される断面視略Ｅ字状の長尺部材にて構成される。
【００６３】
調整材スターター３６Ａには溝状の係止部３６ａが形成され、この係止部３６ａに端部調整材３６Ｂの突条形状の係止部３６ｂが挿入されて両者を係合させる構成としている。これにより、両者が一体的に縦桟材３５に対し強固に固定され、風による跳ね上がりなどが防止される。
【００６４】
なお、調整材スターター３６Ａと端部調整材３６Ｂを縦桟材３５に載置固定するほか、野地板５０に対して直接固定することとしてもよい。
【００６５】
また、調整材スターター３６Ａの上面部３６ｃは係止部３６ｂに覆い被さる構成としており、調整材スターター３６Ａの上面部３６ｃと端部調整材３６Ｂの上面部３６ｄによって、連続した一連の表面が形成され、美観に優れた構成が実現される。
【００６６】
調整材スターター３６Ａと端部調整材３６Ｂは、縦桟材３５の屋根奥行き方向Ｙに対して任意の位置に固定することができる。つまり、施工現場において、第二の隙間調整材３６（３６Ａ，３６Ｂ）の固定位置が調整できるように構成される。
【００６７】
また、調整材スターター３６Ａの溝状の係止部３６ａについて有意な奥行きを設定するとともに、端部調整材３６Ｂの突条形状の係止部３６ｂに有意な突出幅を設定することにより、調整材スターター３６Ａと端部調整材３６Ｂを係合させつつ、調整材スターター３６Ａと端部調整材３６Ｂの距離を調整することが可能となる。これにより、第二の隙間調整材３６（３６Ａ，３６Ｂ）の全体幅Ｗ４を調整することが可能となる。
【００６８】
以上の構成により、延設部位３４ａと、調整材スターター３６Ａと、端部調整材３６Ｂの各表面により、化粧枠３２と太陽光発電モジュール３（本実施形態では、横桟部材６０が介在する）が隙間無く連続する外観を構成することができる。
【００６９】
なお、調整材スターター３６Ａと端部調整材３６Ｂにおいて幅寸法が異なるものを作製することや、使用個数を変更する実施形態が考えられることは図４を用いて説明した実施形態と同様であり、説明を省略する。
【００７０】
以上のようにして本発明を実施することができる。
即ち、図１及び図２に示すごとく、複数配列した太陽光発電モジュール３の周囲に配設される周囲枠１０（縦周囲枠２０、横周囲枠３０）と、周囲枠１０と太陽光発電モジュール３の間の隙間２３を塞ぐための第一の隙間調整材２４と、を有し、第一の隙間調整材２４の固定位置が調整できるように構成される、こととしている。
【００７１】
これにより、隙間２３の幅に応じて第一の隙間調整材２４の固定位置を適宜調整することで、隙間２３を塞ぐことが可能となり、太陽エネルギー利用装置を用いた美観性の高い屋根面を構成することができる。つまり、例えば、図１に示すように、太陽エネルギー利用装置（太陽光発電モジュール３）と周囲枠１０と第一の隙間調整材２４によって、屋根の略全面積を覆う構成を実現できる。また、施工現場において施工誤差が生じた場合においても、適宜隙間２３を塞ぐことが可能となり、施工性に優れた構成が実現される。
【００７２】
また、図２に示すごとく、第一の隙間調整材２４は、隙間２３を上方から覆うための延設部位２４ａを有する、こととしている。
【００７３】
これにより、延設部位２４ａと隙間２３の重なり代を調整することで、容易に隙間２３を塞ぐことができる。
【００７４】
また、図３に示すごとく、第一の隙間調整材２４と第二の隙間調整材２６といった複数の隙間調整材を使用することで隙間２３が塞がれる、こととしている。
【００７５】
これにより、複数の隙間調整材の使用を適宜選定することにより、様々な隙間２３の幅に容易に対応することができる。
【００７６】
また、図１に示すごとく、第一の隙間調整材２４、及び、第二の隙間調整材２６は、長尺部材であって、複数の太陽光発電モジュール３を跨ぐ長さを有する、構成としている。
【００７７】
このように長尺部材にて構成することにより、施工現場における切断加工などで寸法調整を実施することで、屋根の施工誤差に容易に対応することが可能となる。また、部品点数の削減が図られ、優れた施工性を確保することができる。また、例えば、アルミ押出し材で構成することによれば、製造コストも安く抑えることが可能となる。
【００７８】
以上の実施形態に倣い、例えば、図６（Ａ）に示すごとく、第二の隙間調整材２６として一つの長尺の端部調整材２６Ｂを用い、周囲枠１０（縦周囲枠２０）に設ける第一の隙間調整材２４とともに、隙間を塞ぐ構成とすることも可能である。
【００７９】
このほか、図６（Ｂ）に示すように、第二の隙間調整材２６Ｃとして、平面視台形状のパネルを用い、太陽光発電モジュール３の配列や、屋根の縁が平面視において傾斜する場合において、傾斜する周囲枠１０Ｃとの隙間を塞ぐ構成も考えられる。この第二の隙間調整材２６Ｃは、上述の第一の隙間調整材２４のように周囲枠１０Ｃ側に設けられてもよく、また、上述の第二の隙間調整材２６と同様に周囲枠１０Ｃとは別体で設けられることとしてもよい。
【００８０】
また、図６（Ｃ）に示すように、第二の隙間調整材２６Ｄとして、平面視矩形状のパネルを用い、一部の太陽光発電モジュール３と周囲枠１０Ｄの間に隙間が形成される場合において、この隙間を塞ぐこととしてもよい。この第二の隙間調整材２６Ｄは、上述の第一の隙間調整材２４のように周囲枠１０Ｄ側に設けられてもよく、また、上述の第二の隙間調整材２６と同様に周囲枠１０Ｄとは別体で設けられることとしてもよい。
【産業上の利用可能性】
【００８１】
本発明の構成は、建物の屋根などに設置される太陽光発電モジュールなどの太陽エネルギー利用装置を複数配設する構成において、広く適用することができる。
【符号の説明】
【００８２】
１    屋根
３    太陽光発電モジュール
４    屋根材
１０    周囲枠
２０    縦周囲枠
２１    スリーブ材
２２    化粧枠
２３    隙間
２４    隙間調整材
２６    第二の隙間調整材
３０    横周囲枠
３１    ブラケット
３２    化粧枠
３３    隙間
３４ａ    延設部位
３５    縦桟材
３６    隙間調整材
【図１】
2015068080.tif 000003
【図２】
2015068080.tif 000004
【図３】
2015068080.tif 000005
【図４】
2015068080.tif 000006
【図５】
2015068080.tif 000007
【図６】
2015068080.tif 000008